(57)【要約】【課題】文字読み取りの際の誤読または不読率の低減が可能な光学式文字認識機能付携帯電話機器の提供。【解決手段】文字認識部３で文字認識が不可（誤読または不読）と判断された場合、データ照合部４がメモリ７に格納された特徴的な文字列の情報を参照して、その不可と判断された文字コードがその特徴的な文字列に該当するか否かを判断する。そして、特徴的な文字列に該当すると判断された場合は、データ修正部５がその文字コードをその特徴的な文字列の形式に合致するように修正する。【選択図】      図２
2004152036.tif 000002
【特許請求の範囲】
【請求項１】
文字列を取り込む映像取込手段と、取り込んだ映像から文字を認識する文字認識手段とを含む文字認識機能付携帯電話機器であって、
特徴的な文字列の情報が格納される記憶手段を含み、前記文字認識手段はこの文字列の情報を用いて文字認識を行うことを特徴とする文字認識機能付携帯電話機器。
【請求項２】
前記文字認識手段は、取り込んだ文字列を誤読または不読した場合に、前記特徴的な文字列の情報を用いて前記取り込んだ文字列を修正することを特徴とする請求項１記載の文字認識機能付携帯電話機器。
【請求項３】
前記文字認識手段は、取り込んだ文字列を認識する文字認識部と、前記文字認識部で認識した文字コードを前記記憶手段に格納された特徴的な文字列の情報と比較するデータ照合部と、前記データ照合部での照合結果に基づいて文字コードがその特徴的な文字列の形式に合致するように修正するデータ修正部とを含むことを特徴とする請求項１または２記載の文字認識機能付携帯電話機器。
【請求項４】
前記特徴的な文字列の情報には少なくともＵＲＬ、電話番号、メールアドレスのいずれかの情報が含まれることを特徴とする請求項１から３いずれかに記載の文字認識機能付携帯電話機器。
【請求項５】
文字認識機能付携帯電話機器において認識した文字の修正を行う認識文字の修正方法であって、
取り込んだ文字列を誤読または不読した場合に、特徴的な文字列の情報を用いて前記取り込んだ文字列を修正するデータ修正ステップを含むことを特徴とする認識文字の修正方法。
【請求項６】
前記データ修正ステップは、文字列を取り込む第１ステップと、取り込んだ文字列を認識する第２ステップと、前記第２ステップで認識した文字コードを前記特徴的な文字列の情報と比較する第３ステップと、前記第３ステップでの照合結果に基づいて文字コードがその特徴的な文字列の形式に合致するように修正する第４ステップと、前記第４ステップで処理後の情報を表示する第５ステップとを含むことを特徴とする請求項５記載の認識文字の修正方法。
【請求項７】
前記特徴的な文字列の情報には少なくともＵＲＬ、電話番号、メールアドレスのいずれかの情報が含まれることを特徴とする請求項５または６記載の認識文字の修正方法。
【請求項８】
文字認識機能付携帯電話機器において認識した文字の修正をコンピュータに実行させるためのプログラムであって、
取り込んだ文字列を誤読または不読した場合に、特徴的な文字列の情報を用いて前記取り込んだ文字列を修正するデータ修正ステップを含むことを特徴とするプログラム。
【請求項９】
前記データ修正ステップは、文字列を取り込む第１ステップと、取り込んだ文字列を認識する第２ステップと、前記第２ステップで認識した文字コードを前記特徴的な文字列の情報と比較する第３ステップと、前記第３ステップでの照合結果に基づいて文字コードがその特徴的な文字列の形式に合致するように修正する第４ステップと、前記第４ステップで処理後の情報を表示する第５ステップとを含むことを特徴とする請求項８記載のプログラム。
【請求項１０】
前記特徴的な文字列の情報には少なくともＵＲＬ、電話番号、メールアドレスのいずれかの情報が含まれることを特徴とする請求項８または９記載のプログラム。
【発明の詳細な説明】
【０００１】
【発明の属する技術分野】
本発明は、文字認識機能付携帯電話機器及び認識文字の修正方法並びにプログラムに関し、特に光学式文字認識機能付携帯電話機器において誤読または不読と判断された文字の修正方法の改良に関する。
【０００２】
【従来の技術】
従来の光学式文字認識装置は、映像取込部（スキャナ）により媒体上の文字が読み取られ、読み取られた画像データは文字認識部に送られ、ここで１文字１文字の画像が認識される。そして、認識された結果は表示装置に出力される。以上のように動作が行われるが、文字認識部による認識の結果、誤読または不読と判断された場合は、オペレータがキーボードにより誤読文字あるいは不読文字を削除し、新たに文字を入力しなければならない。その修正方法としては、キーボードより仮名漢字変換で入力する方法や、候補文字や候補単語を表示して入力する。しかし、現在の認識技術ではまだ誤読あるいは不読される文字は多く、その度に誤読文字あるいは不読文字の削除及び再入力を行わなければならない。
【０００３】
一方、認識したデータを修正する技術の一例が特許文献１および２に開示されている。
【０００４】
特許文献１開示の技術は、小切手等の文書上のバーコード文字の認識に関するもので、文字形状情報（テンプレートパターン）を使用してバーコード文字を認識するというものである。
【０００５】
また、特許文献２開示の技術は、帳票データの修正に関するもので、帳票データに対応した修正処理パターンを適用して帳票データを修正するというものである。
【０００６】
しかし、特許文献１および２開示の技術は特徴的な文字列の情報をテンプレートパターン（特許文献１）あるいは修正処理パターン（特許文献２）として利用するものではないため、本発明とは構成、作用、効果のいずれもが全く相違する。
【０００７】
【特許文献１】
特開平０５−２５０５１５号公報（図１）
【０００８】
【特許文献２】
特開平０９−０１６６８７号公報（図１）
【０００９】
【発明が解決しようとする課題】
上記従来の光学式文字認識装置においては、誤読または不読と判断された場合、誤読あるいは不読した文字をいちいち削除し、その後改めて入力し直さなければならないため、文字修正に時間を要するという問題があった。
【００１０】
そこで、本発明の目的は文字読み取りの際の誤読または不読率の低減が可能な光学式文字認識装置、特に光学式文字認識機能付携帯電話機器及び認識文字の修正方法並びにプログラムを提供することにある。
【００１１】
【課題を解決するための手段】
本発明による文字認識機能付携帯電話機器は、文字列を取り込む映像取込手段と、取り込んだ映像から文字を認識する文字認識手段とを含む文字認識機能付携帯電話機器であって、その携帯電話は特徴的な文字列の情報が格納される記憶手段を含み、前記文字認識手段はこの文字列の情報を用いて文字認識を行うことを特徴とする。
【００１２】
また、本発明による認識文字の修正方法は、文字認識機能付携帯電話機器において認識した文字の修正を行う認識文字の修正方法であって、その修正方法は取り込んだ文字列を誤読または不読した場合に、特徴的な文字列の情報を用いて前記取り込んだ文字列を修正するデータ修正ステップを含むことを特徴とする。
【００１３】
さらに、本発明によるプログラムは、文字認識機能付携帯電話機器において認識した文字の修正をコンピュータに実行させるためのプログラムであって、そのプログラムは取り込んだ文字列を誤読または不読した場合に、特徴的な文字列の情報を用いて前記取り込んだ文字列を修正するデータ修正ステップを含むことを特徴とする。
【００１４】
すなわち、本発明によれば、取り込んだ文字列と特徴的な文字列の情報とを比較し、比較結果に基づいて取り込んだ文字列を修正する手段を含むため、文字読み取りの際の誤読または不読率の低減が可能となる。
【００１５】
【発明の実施の形態】
以下、本発明の実施の形態について添付図面を参照しながら説明する。まず、第１の実施の形態について説明する。図１は本発明に係る光学式文字認識機能付携帯電話機器の第１の実施の形態の構成図である。同図を参照すると、光学式文字認識機能付携帯電話機器は、操作部１１と、表示部１２と、表示制御部１３と、制御部（ＣＰＵ：ｃｅｎｔｒａｌ  ｐｒｏｃｅｓｓｉｎｇ  ｕｎｉｔ  ）１４と、カメラ部１５と、無線部１６と、文字認識部１７と、文字列情報用メモリ１８と、ピクチャメモ用メモリ１９と、アルバム用メモリ２０と、待受用メモリ２１と、作業用メモリ２２と、ＲＯＭ２３と、バス２４とを含んで構成される。
【００１６】
操作部１１は各種の操作キ−が配列されたキ−操作部であり、表示部１２は例えばＬＣＤ（液晶表示）からなり、表示制御部１３は表示部１２を制御する。制御部１４はＣＰＵであり、バス２４を介して各部を制御する。カメラ１５は外部の映像、特に本発明の対象となる文字列の情報を含む映像を撮影する。無線部１６は図示せぬ基地局との間の無線通信を行う。文字認識部１７はカメラ１５で撮影した文字を認識する。文字列情報用メモリ１８は後述する文字列情報が格納されるメモリである。ピクチャメモ用メモリ１９はカメラ１５による撮影画像をメモ代わりに登録しておくときに用いられるメモリ、アルバム用メモリ２０はカメラ５による撮影画像をアルバム用として保存するためのメモリ、待受用メモリ２１は待受画面用のメモリ、作業用メモリ２２はＣＰＵ１４の処理において用いられるワークメモリ、ＲＯＭ２３はＣＰＵ１４を動作させるためのプログラムを格納した読出し専用のメモリである。これら各部位（表示部１２を除く）はバス２４を介して相互接続されている。
【００１７】
前述したように、本携帯電話機器はカメラ部１５を有しており、このカメラ部１５を介して外部の映像を撮影し保存する機能を有しているが、本発明の特徴はカメラ部１５を介して文字列の情報を撮影し、その文字を認識する機能及びデータを修正する機能にある。そこで、以下の説明はこれら文字認識及びデータ修正について行い、他の機能の説明は省略する。
【００１８】
なお、本実施形態では映像の取り込みにカメラ１５を用いたが、文字列の情報の取り込みに関してはＯＣＲ（ｏｐｔｉｃａｌ  ｃｈａｒａｃｔｅｒ  ｒｅａｄｅｒ）等の取込装置を別途設けることも可能である。
【００１９】
図２は第１の実施の形態における文字認識及びデータ修正の処理の流れを示す模式図である。同図において、文字列１は読み取り対象である文字列を示す。
【００２０】
同図を参照すると、映像取込部２は文字列１をデジタル化し、画像データとして文字認識部３に送る。文字認識部３は画像データから文字認識を行い、文字コードをデータ照合部４に出力する。データ照合部４は送られてきた文字コードとメモリ７に格納された情報とを比較する。データ修正部５はデータ照合部４からの情報に応じてデータの修正を行う。表示部６はデータ修正部５から送られた情報を表示する。制御部８は映像取込部２、文字認識部３、データ照合部４、データ修正部５および表示部６を制御する。入力部９はキーボードまたはボタンの形状を取り、手動での修正や選択を行う。記録媒体１０には後述するプログラムが格納される。
【００２１】
なお、図２の文字認識部３と、データ照合部４と、データ修正部５とにより図１の文字認識１７が構成される。また、図２の映像取込部２、表示部６、メモリ７、制御部８、入力部９及び記録媒体１０は、図１のカメラ１５、表示部１２、文字列情報用メモリ１８、制御部１４、操作部１１及びＲＯＭ２３に夫々相当する。
【００２２】
次に、メモリ７に格納された情報について説明する。図３はメモリ７に格納される情報の一例を示す図である。同図に示されるようにメモリ７には特徴的な文字列の情報が格納されている。たとえば、特徴的な文字列の情報がＵＲＬ（ｕｎｉｆｏｒｍ  ｒｅｓｏｕｒｃｅ  ｌｏｃａｔｏｒ）の場合は、一例として、
ｈｔｔｐ：／／ａａａ．ｂｂｂ．ｃｃｃ．ｄｄ．ｊｐ／
が格納される。
【００２３】
また、特徴的な文字列の情報が電話番号の場合は、一例として、
ａａａ（ｂｂｂ）ｃｃｃｃ
あるいは、
ｄｄｄ−ｅｅｅｅ−ｆｆｆｆ
が格納される。
【００２４】
また、特徴的な文字列の情報がメールアドレスの場合は、一例として、
ａａａａａａａ＠ｂｂｂｂ．ｃｃｃ．ｄｄ．ｊｐ
が格納される。
【００２５】
なお、特徴的な文字列の情報は上記に限定されるものではなく、他の特徴的な文字列、たとえばクレジットカードの番号、自動車のナンバープレートの番号、自動車免許証の番号、パスポートの番号等の個人情報も含まれる。
【００２６】
すなわち、データ照合部４にて入力された文字コードが上記いずれかの特徴的な文字列に該当すると判断された場合、データ修正部５はその文字コードをその特徴的な文字列の形式に合致するように修正する。
【００２７】
なお、図２の文字認識部３、データ照合部４及びデータ修正部５はソフトウエアで構成することが可能である。
【００２８】
次に、第２の実施の形態について説明する。第２の実施の形態は認識文字の修正方法に関するものである。図４は本発明に係る光学式文字認識機能付携帯電話機器の動作の一例を示すフローチャートである。なお、光学式文字認識機能付携帯電話機器の構成は図１及び図２に示すものと同様である。
【００２９】
図４を参照すると、まず映像取込部２において文字列１が取り込まれ（Ｓ１）、その文字列１がデジタル化される（Ｓ２）。次に、そのデジタル化された文字列１は文字認識部３に入力され、文字認識が実行される（Ｓ３）。文字認識部３において認識が可能と判断されると（Ｓ４にて「可能」の場合）、認識された文字コードが表示部６に入力され、文字が表示される（Ｓ７）。
【００３０】
一方、文字認識部３にて認識が不可（誤読または不読）と判断された場合（Ｓ４にて「不可」の場合）、その文字コードはデータ照合部４に送られる。データ照合部４はメモリ７に格納された特徴的な文字列の情報を参照し、その文字コードが特徴的な文字列に該当するか否かを判断する（Ｓ５）。
【００３１】
次に、その判断の方法について説明する。たとえば、文字列１から「ｈｔｔｐ」あるいは「：／／」の文字列を読み取った場合は、その文字列１はＵＲＬと判断する。また、１０桁または１１桁の数字列を読み取った場合は、その文字列１は電話番号と判断する。また、数字列の間に（）（括弧）または−（ハイフン）を含む場合も同様に電話番号と判断する。また、＠を含む、または「．ｊｐ」で終わる文字列１を読み取った場合は、その文字列１はメールアドレスと判断する
。
【００３２】
図４のフローチャートに戻り、データ照合部４にて文字コードが特徴的な文字列に該当すると判断された場合（Ｓ５にて「する」の場合）、データ修正部５にてその文字コードがその特徴的な文字列の形式に合致するように修正される（Ｓ６）。そして、修正された文字コードが表示部６に表示される（Ｓ７）。
【００３３】
一方、データ照合部４にて文字コードが特徴的な文字列に該当しないと判断された場合（Ｓ５にて「しない」の場合）、データ修正部５は誤読または不読文字をそのまま出力するか、あるいはその誤読または不読文字の前後に特定のマーク（符号）を付加して出力する（Ｓ８）。そして、未修正の文字コードが表示部６に表示される（Ｓ７）。なお、誤読または不読文字の前後に特定のマーク（符号）を付加して出力した場合、オペレータが文字の修正を行う場合に、誤読または不読文字を容易に検出することができる。
【００３４】
次に、第３の実施の形態について説明する。第３の実施の形態は認識文字の修正方法のプログラムに関するものである。前述したように、本発明に係る光学式文字認識機能付携帯電話機器は記録媒体１０を含んでいる（図２参照）。この記録媒体１０には図４にフローチャートで示す認識文字の修正方法のプログラムが格納されている。制御部８は記録媒体１０よりこのプログラムを読み出し、そのプログラムにしたがって映像取込部２、文字認識部３、データ照合部４、データ修正部５および表示部６を制御する。その制御の内容については第２の実施の形態で説明したのでここでの説明は省略する。
【００３５】
【発明の効果】
以上説明したように本発明によれば、取り込んだ文字列と特徴的な文字列の情報とを比較し、比較結果に基づいて取り込んだ文字列を修正する手段を含むため、文字読み取りの際の誤読または不読率の低減が可能となる。
【図面の簡単な説明】
【図１】本発明に係る光学式文字認識機能付携帯電話機器の第１の実施の形態の構成図である。
【図２】第１の実施の形態における文字認識及びデータ修正の処理の流れを示す模式図である。
【図３】メモリ７に格納される情報の一例を示す図である。
【図４】本発明に係る光学式文字認識機能付携帯電話機器の動作の一例を示すフローチャートである。
【符号の説明】
１  文字列
２  映像取込部
３  文字認識部
４  データ照合部
５  データ修正部
６  表示部
７  メモリ
８  制御部
９  入力部
１０  記録媒体
１１  操作部
１２  表示部
１３  表示制御部
１４  制御部
１５  カメラ部
１６  無線部
１７  文字認識部
１８  文字列情報用メモリ
１９  ピクチャメモ用メモリ
２０  アルバム用メモリ
２１  待受用メモリ
２２  作業用メモリ
２３  ＲＯＭ
２４  バス
【図１】
2004152036.tif 000003
【図２】
2004152036.tif 000004
【図３】
2004152036.tif 000005
【図４】
2004152036.tif 000006